(57)【要約】【課題】パーツ数を極力減らし、原料の添加、混合に際して構成部材が落下することのないボトルキャップを提案する。【解決手段】ボトルの口部にねじ止め保持されボトルの内部につながる経路（１ａ）を形成する筒体（１）と、この筒体（１）に着脱自在に係止され、かつ該筒体（１）の経路（１ａ）の出側端を閉塞する蓋体（２）とを備えたボトルキャップにおいて、前記筒体（１）の経路（１ａ）内に、該筒体（１）の出側端に向けて凸となるドーム型の床壁（３）を設け、前記蓋体（２）には、該ドーム型の床壁（３）の縁部を取り囲んで嵌合しその内部に密閉空間（Ｍ）を形成するが該蓋体（２）の取り外しにて該密閉空間（Ｍ）を開放する内側壁（４）を設ける。【選択図】図１
2006117305.tif 000002
【特許請求の範囲】
【請求項１】
ボトルの口部にねじ止め保持されボトルの内部につながる経路を形成する筒体と、この筒体に着脱自在に係止され、かつ該筒体の経路の出側端を閉塞する蓋体とを備えたボトルキャップであって、
前記筒体の経路内に、該筒体の出側端に向けて凸となるドーム型の床壁を設け、
前記蓋体に、該ドーム型の床壁の縁部を取り囲んで嵌合しその内部に密閉空間を形成するが該蓋体の取り外しにて該密閉空間を開放する内側壁を設けたことを特徴とするボトルキャップ。
【請求項２】
前記ドーム型の床壁は、ボトルの内部につながる経路を残してその側壁に係止する支持アームを有する請求項１記載のボトルキャップ。
【請求項３】
前記密閉空間は、ボトル内の内容物に添加、混合するための原料を単独もしくは不活性ガスとともに収納する収納空間である請求項１記載のボトルキャップ。
【請求項４】
前記嵌合が、アンダーカットによるものである請求項１記載のボトルキャップ。
【発明の詳細な説明】
【技術分野】
【０００１】
本発明は、ペットボトル等の容器の口部に装着され、該容器の開封に合わせて原料を容器内の液体に添加、混合するのに好適な合成樹脂製のボトルキャップに関するものである。
【背景技術】
【０００２】
近年、お茶や果汁飲料、健康食品、ミネラルウオータ等を充填したボトルでは、外気温や紫外線あるは酸化等による影響をできるだけ最小限に留め品質の長期安定化を図る観点から、キャップの内側に原料（粉末、液体、固体状のもの）を充填しておき、ボトルの開封に合わせて該原料を液体に添加、混合するタイプのものが多数出回っている（例えば特許文献１、特許文献２参照）。
【０００３】
【特許文献１】特開２００３−２３５０号公報
【０００４】
【特許文献２】実公昭５０−１８８４６号公報
【０００５】
ところで、従来のこの種のキャップは、部品点数が多く製造コストの軽減を図るにも限界があるうえ、原料の充填空間を開放したとき、原料とともに密閉蓋がボトル内へ落下する仕組みになっていることから、見栄えも悪いところに問題を残していた。
【発明の開示】
【発明が解決しようとする課題】
【０００６】
本発明の課題は、部品点数を極力少なくし、原料の投入時に付属の部材がボトル内に落下することのない新規なキャップを提案するところにある。
【課題を解決するための手段】
【０００７】
本発明は、ボトルの口部にねじ止め保持されボトルの内部につながる経路を有する筒体と、この筒体に着脱自在でかつ該筒体の経路の出側端を閉塞する蓋体とを備えたボトルキャップであって、
前記筒体の経路内に、該筒体の出側端に向けて凸となるドーム型の床壁を設け、
前記蓋体に、該ドーム型の床壁の縁部を取り囲んで嵌合しその内部に密閉空間を形成するが該蓋体の取り外しにて該密閉空間を開放する内側壁を設けたことを特徴とするボトルキャップである。
【０００８】
上記の構成になるボトルキャップにおいて、前記ドーム型の床壁は、ボトル内につながる経路を残してその側壁に係止する支持アームを有するものが好ましい。
【０００９】
また、前記密閉空間は、ボトル内の内容物に添加、混合するための原料を単独もしくは不活性ガスとともに収納する収納空間であるのが望ましく、前記嵌合はアンダーカットによるものが好ましい。
【発明の効果】
【００１０】
ボトルの口部を封止しかつ原料の充填空間をドーム型の床壁を有する筒体と、この筒体に被さる蓋体の２つの部材（２パーツ）にて構成することができ、しかも、原料は該筒体と蓋体の隙間を通して投入、添加されるので、充填空間を開放する際に構成部材がボトル内に落下することはない。
【発明を実施するための最良の形態】
【００１１】
以下、図面を用いて本発明をより具体的に説明する。
図１は本発明にしたがうボトルキャップの実施の形態を断面で示した図である。
【００１２】
図における１はボトルの口部にねじ止め保持される筒体である。この筒体１はボトルの内部につながる経路１ａを有する。
【００１３】
また、２は筒体１にねじあるいはアンダーカットによって着脱自在に係止され、かつ該筒体１の経路１ａの出側端を閉塞する蓋体、３は筒体１の経路１ａ内に設けられ該筒体１の出側端に向けて凸となるドーム型の床壁である。このドーム型の床壁３は図２にその底面を示すように経路１ａを確保した状態で支持アーム３ａを介してその側壁に固定保持される。
【００１４】
そして、４は蓋体２に一体形成され、床壁３の縁部を取り囲んでアンダーカット嵌合することでその内部に原料を収納するための密閉空間Ｍを形成する内側壁である。
【００１５】
ボトルの開封前はボトル内の内容物と該内容物に添加、混合すべき原料は確実に隔離されおり、原料の品質は安定的に保持されている。
【００１６】
ボトルを開封するにあたっては、まず蓋体２を上方に移動させる。そうすると、図３に示すように、内側壁４と床壁３の縁部における係合が解除されその相互間に隙間が形成される。床壁３は図示の如く上に向けて凸となるドーム型となっていることから内側壁４と床壁３との間に隙間が形成されると内部に充填された原料は床壁３の傾斜に沿い速やかに滑り落ち、これにより密閉空間Ｍ内に内容物が残存することはない（内容物は確実に全て滑り落ちる。）。
【００１７】
原料を落下させたのち再度蓋体２を閉めなおしてボトル自体を揺さぶることで原料の均一な混合が促され、次いで、図４に示す如く、筒体２を蓋体３とともにボトルの口部から取り外すことで原料の混合された内容物の注出が可能となる。
【００１８】
充填空間への原料の充填は、図５に示すように蓋体２を逆転させて内側壁４の内部に原料を充填しその状態のままで内側壁４の先端をドーム型の床壁３の縁部に嵌合させる。
【００１９】
充填空間Ｍは原料の酸化を防ぐ目的で不活性がスを充填しておくことができ、原料は固体、粉体、液体等適宜選択して充填される。
【００２０】
ドーム型の床壁３は４本の支持アーム３ａにて側壁に固定保持する例について示したが、原料の投入に支障がでない範囲でその本数は増減できるものであり、この点については限定されない。ボトルキャップを構成する各部材の材質はポリプロピレン樹脂が適用できるがこの点についても限定はされない。
【００２１】
本発明にしたがうボトルキャップは図６に他の実施形態を示すように、蓋体２の天面を落とし込み筒体１の出側先端を内外から挟み込んでシールするとともに、筒体１と蓋体２の相互間にバージンリング５を、また筒体１とボトルの口部の相互間にバージンリング６をそれぞれ設けて悪戯防止を図ることもできる。
【産業上の利用可能性】
【００２２】
パーツ数が少なく、原料の添加、混合に際して構成部材がボトル内に脱落することのないボトルキャップが提供できる。
【図面の簡単な説明】
【００２３】
【図１】本発明にしたがうボトルキャップの実施の形態を示した断面図である。
【図２】図１の要部を示した底面図である。
【図３】原料の添加要領の説明図である。
【図４】内容物の注出要領の説明図である。
【図５】原料の充填要領の説明図である。
【図６】本発明にしたがうボトルキャップの他の実施の形態を示した図である。
【符号の説明】
【００２４】
１  筒体
１ａ  経路
２  蓋体
３  床壁
３ａ  支持アーム
４  内側壁
５  バージンリング
６  バージンリング
Ｍ  充填空間
【図１】
2006117305.tif 000003
【図２】
2006117305.tif 000004
【図３】
2006117305.tif 000005
【図４】
2006117305.tif 000006
【図５】
2006117305.tif 000007
【図６】
2006117305.tif 000008